(57)【要約】      （修正有）【課題】遊技者が打ち出したパチンコ球によって、遊技者が遊技に参加している雰囲気が十分に味わえるようにした弾球遊技機の可変表示装置を提供する。【解決手段】表示部１２と、ステージ２０ａと、球通路２９ｃとを備え、球通路２９ｃの途中に遊技球Ｐ１〜Ｐ７が流出し得る球出口３９を設け、ステージ２０ａと球通路２９ｃとの間に常に該球通路２９ｃ側へ付勢される受渡部材４１を配置し、受渡部材４１は球通路２９ｃの球出口３９から流出される遊技球Ｐ１〜Ｐ７を受け取り前記付勢に抗してその自重で表示部１２の前面を遮るように可動して遊技球Ｐ１〜Ｐ７をステージ２０ａ上面に払い出すようにした。【選択図】図７
2005124938.tif 000002
【特許請求の範囲】
【請求項１】
画像を映し出す表示部と、前記表示部の前側下部に配置され遊技球が転動するステージと、前記表示部の外周に成形され遊技球を流下させて前記ステージの上面に導く球通路とを備え、前記球通路の途中に遊技球が流出し得る球出口を設け、前記ステージと前記球通路との間に常に該球通路側へ付勢される受渡部材を配置し、前記受渡部材は前記球通路の球出口から流出される遊技球を受け取り前記付勢に抗しその自重で前記表示部の前面を遮るように可動して前記遊技球を前記ステージ上面に払い出すようにしたことを特徴とする弾球遊技機の可変表示装置。
【請求項２】
前記球通路の球出口に、前記受渡部材が球通路に接するように位置しているとき前記球出口を開いて受渡部材への遊技球の受け渡しを許し、かつ前記受渡部材が可動して球通路から離れているときは前記球出口を閉めて該球出口からの遊技球の流出を阻止する球止部材を設けた請求項１記載の弾球遊技機の可変表示装置。
【請求項３】
前記球通路に設けられ前記球出口の下方に位置する戻し口と、前記受渡部材が可動して前記球出口が開いているとき前記戻し口を開きかつ該球出口から流出する遊技球を受け止め前記戻し口を介して再び前記球通路内に戻す戻し片とを設けた請求項１記載の弾球遊技機の可変表示装置。
【請求項４】
前記戻し口に該戻し口から流入した遊技球を検出する球検出器を配置し、前記球検出器により遊技球を検出したとき、前記表示部の画像の色、背景等の画像の一部が変化するようにした請求項３記載の弾球遊技機の可変表示装置。
【請求項５】
前記受渡部材の近傍に該受渡部材の可動動作を検出する検出器を配置し、前記検出器により前記受渡部材の可動動作を検出したとき、前記表示部の画像の色、背景等の画像の一部が変化するようにした請求項１又は２又は３記載の弾球遊技機の可変表示装置。
【請求項６】
前記球出口に該球出口から流出する遊技球を検出する球検出器を配置し、前記球検出器により遊技球を検出したとき、前記表示部の画像の色、背景等の画像の一部が変化するようにした請求項１又は２又は３記載の弾球遊技機の可変表示装置。
【請求項７】
画像を映し出す表示部と、前記表示部の前側下部に配置され遊技球が転動するステージと、前記表示部の外周に成形され前記ステージ上面に遊技球を落下させる球出口を設けた球通路とを備え、前記球通路に流入した遊技球を前記球出口から前記表示部の前面を遮るようにして前記ステージ上面に落下させるようにしたことを特徴とする弾球遊技機の可変表示装置。
【請求項８】
前記球出口に遊技球を検出する球検出器を配置し、前記球検出器により遊技球を検出したとき、前記表示部の画像の色、背景等の画像の一部が変化するようにした請求項７記載の弾球遊技機の可変表示装置。
【発明の詳細な説明】
【技術分野】
【０００１】
本発明は、遊技盤面の遊技部に画像が可変表示される表示部を備えた弾球遊技機の可変表示装置に関するものである。
【背景技術】
【０００２】
一般に、弾球遊技機の一種であるパチンコ遊技機には、遊技盤面の遊技部中央に位置して画像としての数字、記号等の表示が可変表示される表示部を備えた可変表示装置が装着され、その下方にパチンコ球が入賞することにより前記表示部の表示を変動させる始動入賞孔と、その変動した表示が停止したとき特定の組合わせ（例えば、「７７７」）に揃ったとき、遊技者に有利となる特別遊技状態となり一度に多くの入賞球を発生させる入賞装置を装着したパチンコ遊技機が主流を占めており、楽しまれている。
【０００３】
ところが、前記表示部における画像としての数字、記号等の表示が変動と停止による演出のみでは、単調になって飽き易く遊技の興趣を上げるに物足りなさがあるということから、表示部に数字、記号等を表示させる以外に表示部の外周囲に可動部材を設け、表示部の画像の進行につれて前記可動部材を動作させ画像の視覚とともに可動部材の動きも楽しめるようにした可変表示装置がある（例えば、特許文献１参照。）。
【特許文献１】特開２００３−８８６１７号公報（第３−４頁、図１−２）
【発明の開示】
【発明が解決しようとする課題】
【０００４】
しかしながら、前記特許文献１の可変表示装置では、表示部の画像に合わせて可動部材が可動してもその動きが画像の進行に連動するのみで規則的であり、しかも、パチンコ遊技機サイドで動き遊技者の意思は何ら介在してないことから、遊技者が遊技に参加しているといった効果が薄く、今一度遊技の興趣を高めるに改良を加える必要があるという課題があった。
ところで、前記可変表示装置を備えたパチンコ遊技機にあっては、特別遊技状態である大当りが表示部で決定されて表示されることから、遊技者は遊技中ほとんど表示部に注視しており、逆にその周辺には気を使っていないのが現状である。
【０００５】
そこで、本発明は上記課題を解決すべくなされたもので、遊技者が注視している表示部を利用し、遊技者が打ち出したパチンコ球によってパチンコ球を受け取りその自重で前記表示部の前面を遮るように可動する受渡部材を設けたり、表示部の前面を遮るようにパチンコ球を落下させることにより、その動作が見易く遊技者が遊技に参加している雰囲気が十分に味わえて遊技の興趣が高められるようにした弾球遊技機の可変表示装置を提供することを目的とするものである。
【課題を解決するための手段】
【０００６】
かかる目的を達成するため請求項１記載の発明は、画像を映し出す表示部と、前記表示部の前側下部に配置され遊技球が転動するステージと、前記表示部の外周に成形され遊技球を流下させて前記ステージの上面に導く球通路とを備え、前記球通路の途中に遊技球が流出し得る球出口を設け、前記ステージと前記球通路との間に常に該球通路側へ付勢される受渡部材を配置し、前記受渡部材は前記球通路の球出口から流出される遊技球を受け取り前記付勢に抗しその自重で前記表示部の前面を遮るように可動して前記遊技球を前記ステージ上面に払い出すようにした構成からなる。
【０００７】
請求項２記載の発明は、請求項１記載の発明において前記球通路の球出口に、前記受渡部材が球通路に接するように位置しているとき前記球出口を開いて受渡部材への遊技球の受け渡しを許し、かつ前記受渡部材が可動して球通路から離れているときは前記球出口を閉めて該球出口からの遊技球の流出を阻止する球止部材を設けた構成からなる。
【０００８】
請求項３記載の発明は、請求項１記載の発明において前記球通路に設けられ前記球出口の下方に位置する戻し口と、前記受渡部材が可動して前記球出口が開いているとき前記戻し口を開きかつ該球出口から流出する遊技球を受け止め前記戻し口を介して再び前記球通路内に戻す戻し片とを設けた構成からなる。
【０００９】
請求項４記載の発明は、請求項３記載の発明において前記戻し口に該戻し口から流入した遊技球を検出する球検出器を配置し、前記球検出器により遊技球を検出したとき、前記表示部の画像の色、背景等の画像の一部が変化するようにした構成からなる。
【００１０】
請求項５記載の発明は、請求項１又は２又は３記載の発明において前記受渡部材の近傍に該受渡部材の可動動作を検出する検出器を配置し、前記検出器により前記受渡部材の可動動作を検出したとき、前記表示部の画像の色、背景等の画像の一部が変化するようにした構成からなる。
【００１１】
請求項６記載の発明は、請求項１又は２又は３記載の発明において前記球出口に該球出口から流出する遊技球を検出する球検出器を配置し、前記球検出器により遊技球を検出したとき、前記表示部の画像の色、背景等の画像の一部が変化するようにした構成からなる。
【００１２】
請求項７記載の発明は、画像を映し出す表示部と、前記表示部の前側下部に配置され遊技球が転動するステージと、前記表示部の外周に成形され前記ステージ上面に遊技球を落下させる球出口を設けた球通路とを備え、前記球通路に流入した遊技球を前記球出口から前記表示部の前面を遮るようにして前記ステージ上面に落下させるようにした構成からなる。
【００１３】
請求項８記載の発明は、請求項７記載の発明において前記球出口に遊技球を検出する球検出器を配置し、前記球検出器により遊技球を検出したとき、前記表示部の画像の色、背景等の画像の一部が変化するようにした構成からなる。
【発明の効果】
【００１４】
請求項１記載の発明では、遊技者が遊技部に打ち込んだパチンコ球であって前記球通路の球出口から流出されるパチンコ球を受渡部材が受け取り、該受渡部材がその自重で表示部の前面を遮るように可動してパチンコ球を払い出すようにしたので、遊技者が一番注視している表示部の前面で遊技者のパチンコ球により受渡部材が可動することとなり、遊技者が遊技に参加している雰囲気が十分に味わえ、これにより遊技の興趣が高められるという効果がある。
【００１５】
請求項２記載の発明のように、球通路の球出口に球止部材を設け、受渡部材が球通路に接するように位置しているとき球出口を開いて受渡部材への遊技球の受け渡しを許し、かつ受渡部材が可動して球通路から離れているときは球出口を閉めて該球出口からの遊技球の流出を阻止するようにすれば、球出口から無用に遊技球が流出することがなく、例えば球通路と受渡部材との間に遊技球が噛んで受渡部材の可動動作に支障を来たすといったことがない。
【００１６】
請求項３記載の発明のように、球通路に設けられ球出口の下方に位置する戻し口と、受渡部材が可動して球出口が開いているとき戻し口を開きかつ該球出口から流出する遊技球を受け止め戻し口を介して再び球通路内に戻す戻し片とを設けるようにすれば、前記と同様に球出口から無用に遊技球が流出することがなく、例えば球通路と受渡部材との間に遊技球が噛んで受渡部材の可動動作に支障を来たすといったことがない。
【００１７】
請求項４記載の発明のように、戻し口に該戻し口から流入した遊技球を検出する球検出器を配置し、球検出器により遊技球を検出したとき、表示部の画像の色、背景等の画像の一部が変化するようにすれば、遊技者の打ち込んだパチンコ球により表示部の画像が変化することになり、遊技者が遊技に参加している雰囲気が十分に味わえ、これによって遊技の興趣がより一層高められる。
【００１８】
請求項５記載の発明のように、受渡部材の近傍に該受渡部材の可動動作を検出する検出器を配置し、検出器により受渡部材の可動動作を検出したとき、表示部の画像の色、背景等の画像の一部が変化するようしても請求項４と同様な効果が得られる。
【００１９】
請求項６記載の発明のように、球出口に該球出口から流出する遊技球を検出する球検出器を配置し、球検出器により遊技球を検出したとき、表示部の画像の色、背景等の画像の一部が変化するようにしても請求項４と同様な効果が得られる。
【００２０】
請求項７記載の発明のように、画像を映し出す表示部と、表示部の前側下部に配置され遊技球が転動するステージと、表示部の外周に成形されステージ上面に遊技球を落下させる球出口を設けた球通路とを備え、球通路に流入した遊技球を球出口から表示部の前面を遮るようにして前記ステージ上面に落下させるようにしたので、遊技者の打ち込んだパチンコ球が表示部の前面を遮るように落下するのが見られ、この場合も遊技者が遊技に参加している雰囲気が十分に味わえ、これにより遊技の興趣が高めれられるという効果がある。
【００２１】
請求項８記載の発明のように、球出口に遊技球を検出する球検出器を配置し、球検出器により遊技球を検出したとき、表示部の画像の色、背景等の画像の一部が変化するようにしても請求項４と同様な効果が得られる。
【発明を実施するための最良の形態】
【００２２】
以下、本発明に係る弾球遊技機の可変表示装置の実施の形態を図面に基づき説明する。なお、弾球遊技機には、例えばパチンコ遊技機、アレンジボール機または雀球遊技機があるが、その一例としてパチンコ遊技機について説明する。
【００２３】
図１は本発明が適用されるパチンコ遊技機の正面図である。パチンコ遊技機Ａは外枠１に前枠２が回動自在に装着されている。前枠２は、額縁状に成形されると共にその裏側に遊技盤３が配置固定される。また、前枠２の前面に遊技盤３の前面を覆う透明板保持枠４とその下方に位置する前面板５がそれぞれ開閉自在に装着される。透明板保持枠４は遊技盤３の遊技部３ａが臨む窓開口６が開設され、該窓開口６に透明板であるガラス板７が平行に２枚装着されている。一方、前面板５には打球発射部（図示せず。）へ供給するため遊技球としてのパチンコ球を貯留する打球供給皿８が装着される。また、前面板５下方の前枠２の前面には打球供給皿８から溢れるパチンコ球を貯留する余剰球受皿９が装着され、その一側に遊技盤３の遊技部３ａに打ち込まれるパチンコ球の打球力を調整するための操作ハンドル１０が設けられている。
【００２４】
前記遊技盤３の前面であって、内側ガイドレール１１ａと外側ガイドレール１１ｂとで囲われる遊技部３ａには、そのほぼ中央に表示部１２を備えた本発明の可変表示装置１３が装着されている。また、その下方にパチンコ球の入賞により前記表示部１２の画像としての数字、記号等の表示を変動表示させる始動入賞口１４が配置される。更に、その下方に位置して前記変動した表示が一定時間経過後に停止して特定の表示（例えば「７７７」）を示し、遊技者にとって有利な特別遊技状態になったとき、一定の条件の下で開閉扉１５ａを所定回数開成させ一度に多くの入賞球が得られる入賞装置１５が配置される。１６は一般入賞口である。
【００２５】
可変表示装置１３は、図２及び図３に示すように遊技盤３面に取付けられる取付基板１７を有し、取付基板１７に開口１８が開設され、その後側に画像を映し出す表示部１２が前記開口１８に臨む表示装置本体１９が取付けられている。前記表示部１２の前側下部には、取付基板１７との間にパチンコ球が転動する第１ステージ２０ａとその下方に位置する第２ステージ２０ｂと更にその下方に位置する第３ステージ２０ｃがそれぞれ配置されている。第１ステージ２０ａは前側から見て第２ステージ２０ｂよりも幅が短く成形され、前端部に上面に載るパチンコ球がそのまま前端縁から前側へ落下しないように前端縁に沿って落下防止板２１が立設されている。第１ステージ２０ａの上面は中央部に向かって下傾しており、その中央部に球検出器２２が装着される落下口２３が開設されている。
【００２６】
前記下方の第２ステージ２０ｂは、取付基板１７のほぼ両側間に成形され、第１ステージ２０ａと同様にその前端縁に上面に載るパチンコ球がその前端縁から前側へ落下しないように落下防止板２４が立設されている。第２ステージ２０ｂの上面は、前記落下口２３の真下位置に向かって下傾すると共にその真下位置の両側近傍に左右均等に盛り上がった盛上り部２５が成形され、その中央に前記落下口２３に対応位置して上面が開放しパチンコ球が流下する通路部２６が設けられている。そして、通路部２６の前端に球落口２７が開設されている。この球落口２７の真下であって遊技盤３面には、前記始動入賞口１４が位置することになり、球落口２７から落下したパチンコ球は始動入賞口１４に入賞する機会が多くなるようになっている。盛上り部２５の両側に位置して落下防止板２４には切欠凹部２８，２８が設けられ、各切欠凹部２８からもパチンコ球が落下し得るようになっている。
【００２７】
前記第３ステージ２０ｃは第２ステージ２０ｂよりも一段低く成形され、第３ステージ２０ｃの上面は第２ステージ２０ｂの傾斜とほぼ同じであって、前記第２ステージ２０ｂの球落口２７に対応する部位が一番低くなっている。また、一側すなわち後記する第３球通路２９ｃ側には、第１・第２ステージ２０ａ，２０ｂと同様に前端縁に落下防止板２４ａが立設されている。
【００２８】
前記表示部１２の外周には、図２の前面から見て左側を除きパチンコ球を流下させて前記第２・３ステージ２０ｂ，２０ｃの上面に導く球通路２９が成形される。球通路２９は、表示部１２の上方に位置する第１球通路２９ａと、該第１球通路２９ａと連通し表示部１２の上部に沿って横方向へ配置される第２球通路２９ｂおよび該第２球通路２９ｂと連通し表示部１２の一側に縦方向へ配置される第３球通路２９ｃとから成っている。
【００２９】
第１球通路２９ａは、遊技盤３面を流下するパチンコ球が入賞することができる球入口３０が上端に開設され、途中適宜屈曲させてパチンコ球の流下速度を押えるようにしている。第１球通路２９ａの下端は解放され、第２球通路２９ｂに連続している。第２球通路２９ｂは天壁３１を有する中空に成形され、前記天壁３１の下面に一側（図２では右側）に向かって僅かに下傾する誘導体３２が帯状に配置されている。誘導体３２は、パチンコ球の重さに優る吸着力を持った複数個の永久磁石３２ａをＮ極とＳ極とが交互になるように列設して成形され、該誘導体３２の下面にパチンコ球がぶら下がり得るようにしている。また、第２球通路２９ｂの流下端部位の上部には誘導体３２が張設されておらず、ぶらさがったまま流下するパチンコ球がこの位置にきたとき永久磁石３２ａの吸着力がほとんどなくなり第３球通路２９ｃへ自重で落下する。
【００３０】
第３球通路２９ｃは、図４乃至図５に示すように所定の間隔を離して配設される左右の側壁３３ａ，３３ｂを有し、その中の上下部に円形皿状に成形された球受盤３４ａ，３４ｂがそれぞれ同心軸状かつ水平に配置されている。各球受盤３４ａ，３４ｂは中心部に向かって底面が漸次低くなっており、上部の球受盤３４ａにおける底面の所定位置に第１通孔３５ａと第２通孔３５ｂが開設される。一方、下部の球受盤３４ｂにおける底面の所定位置には第３通孔３６ａと第４通孔３６ｂと第５通孔３６ｃがそれぞれ開設されている。また、上下の球受盤３４ａ，３４ｂにはその一側にパチンコ球を受け止め流入させる樋部材３７ａ，３７ｂが一体に設けられる。その内、上部の樋部材３７ａは、前記第２球通路２９ａの下流端から落下するパチンコ球を受け止め上部の球受盤３４ａに流入させるようにしている。
【００３１】
上部の球受盤３４ａと下部の球受盤３４ｂとの間に、平面Ｌ字状の誘導樋３８が配置される。誘導樋３８は、角部を基点にして底面が両先端に向い漸次下り傾斜している。そして、一方の誘導樋部３８ａが前記上部の球受盤３４ａの第１通孔３５ａの真下に位置すると共に先端解放面が側壁３３ａに開設される球出口３９に臨んでいる。また、他方の誘導樋部３８ｂが前記上部の球受盤３４ａの第２通孔３５ｂの真下に位置すると共に先端解放面が下部の球受盤３４ｂに設けられた樋部材３７ｂに臨むようになっている。これにより、上部の球受盤３４ａの第１通孔３５ａから落下したパチンコ球は一方の誘導樋部３８ａ内に入り球出口３９側へ流下する。また、上部の球受盤３４ａの第２通孔３５ｂから落下したパチンコ球は他方の誘導樋部３８ｂ内に入り先端側に流下し、その先端解放面から下部の樋部材３７ｂ内に落下することになる。
【００３２】
前記下部の球受盤３４ｂに開設された第３通孔３６ａ乃至第５通孔３６ｃの内、第３通孔３６ａは前記側壁３３ａ下端に連なる折曲壁３３ｃに開設された透孔３３ｄを介して第２ステージ２０ｂの上面に臨んでおり、第３通孔３６ａから落下するパチンコ球を第２ステージ２０ｂの上面に導くようにしている。また、第４・第５通孔３６ｂ，３６ｃは両側壁３３ａ，３３ｂ間の底部に設けられ前側に向かって下傾する送り出し樋４０の上面に臨んでおり、第４・第５通孔３６ｂ，３６ｃから落下するパチンコ球を前側に流下させ第３ステージ２０ｃの上面に導くようにしている。
【００３３】
前記上部の第１ステージ２０ａと第３球通路２９ｃとの間には、第３球通路２９ｃ側に寄せて球出口３９から排出されるパチンコ球を受け入れ第１ステージ２０ａ上面に払い出す受渡部材４１が配置される。更に詳しく説明すると、受渡部材４１は、下端部で軸支され表示部１２の前面に沿って左右に自在に可動すなわち回動するようになっており、更には第1ステージ２０ａ側へ回動するよう重心の位置が決められている。そして、受渡部材４１の上端部に球出口３９からのパチンコ球を受け入れることができる球受部４２が設けられている。また、下端部の軸支部に重錘４３が偏心して設けられ、これにより受渡部材４１を常に第３球通路２９ｃ側へ付勢するようにしている。受渡部材４１の長さは、起立したとき上端部の球受部４２が球出口３９と対向位置し、傾動した下端位置では球受部４２が第１ステージ２０ａの上面に達して球受部４２内のパチンコ球を第１ステージ２０ａの上面に払い出すことができるように設定される。
【００３４】
前記球出口３９の下方に隣接して側壁３３ａに、下部の球受盤３４ｂに臨む戻し口４４が開設されている。この戻し口４４には戻し片４５が塞ぐようにして配置される。戻し片４５は戻し口４４の下縁に軸支されかつ前記受渡部材４１ともリンク４６を介して連結されている。これにより、受渡部材４１が側壁３３ａから離れて下方へ回動する動作と共に戻し片４５が回動して前記戻し口４４を開き、球出口３９が開口しているとき該球出口３９から流出するパチンコ球を受け止めて再び第３球通路２９ｃ内に戻すようにしている。これは、受渡部材４１の球受部４２が球出口３９から離れているとき、球出口３９から無用に流出するパチンコ球が例えば第３球通路２９ｃと受渡部材４１との間に落下して噛んでしまい、これにより受渡部材４１の可動動作に支障を来たさないようにするためである。
【００３５】
同様な目的で、前記戻し口４４、戻し片４５を設ける替わりとして、図６に示すように第３球通路２９ｃの球出口３９に球止部材４７を設け、受渡部材４１が第３球通路２９ｃから離れているとき球出口３９を閉めてパチンコ球が無用に流出しないようにしても良い。この球止部材４７は、上端が側壁３３ａであって球出口３９の一側外側に軸支４７ａされ、側壁３３ａ面に沿って自在に揺動するようになっている。また、前記軸支部４７ａの一側に球止部材４７の揺動により球出口３９内に介入し得る停止片４７ｂが設けられ、他側に重錘片４７ｃが設けられている。停止片４７ｂは常に重錘片４７ｃの作用により球出口３９内に介入してパチンコ球の通過を阻止するように付勢されている。一方、前記受渡部材４１の球受部４２に球止部材４７と対向して作動片４８が突設されている。
【００３６】
そして、図６（イ）に示すように受渡部材４１が第３球通路２９ｃに接するように位置しているときは、作動片４８が停止片４７ｂと重錘片４７ｃとの間に介入し、重錘片４７ｃを外側へ揺動させると共に停止片４７ｂを球出口３９から退かせる。これにより、球出口３９をパチンコ球が通過できるようになり、パチンコ球の球受部４２への受け渡しが許される。これに対し、図６（ロ）示すように受渡部材４１が第３球通路２９ｃから離れ球出口３９が解放したときは、前記作動片４８が停止片４７ｂと重錘片４７ｃとの間から抜け出て球止部材４７を自由にする。これにより、重錘片４７ｃの自重が働き停止片４７ｂを球出口３９内に突入させて球出口３９を閉め、該球出口３９からのパチンコ球の無用な流出を阻止するようにしている。
【００３７】
また、側壁３３ａの外側であって受渡部材４１の近傍に該受渡部材４１が側壁３３ａから離れて回動するとき、その動作を検知する例えばリミットスイッチ等の検出器４９が配置されている。この検出器４９が受渡部材４１の可動動作を検出すると、前記表示部１２の画像の色、背景等の画像の一部が変化するようになっている。図示は省略するが、前記戻し口４４に該戻し口４４から流入したパチンコ球を検出する球検出器を配置し、球検出器によりパチンコ球を検出したとき、表示部１２の画像の色、背景等の画像の一部が変化するようにしても良い。更には、前記球出口３９に該球出口３９から流出するパチンコ球を検出する球検出器を配置し、球検出器によりパチンコ球を検出したとき、表示部１２の画像の色、背景等の画像の一部が変化するようにしても良い。ただ、前記受渡部材４１を検出する検出器４９と球出口３９の球検出器は同時には使用されない。
【００３８】
本発明に係る可変表示装置１３は上記構成からなり、次に作用について説明する。遊技部３ａに打ち込まれたパチンコ球であって球入口３０から第１球通路２９ａ内に流入したパチンコ球Ｐ１は、図７（イ）に示すように第１球通路２９ａ内を流下して下端開放面に至る。そして、今度は第２球通路２９ｂの誘導体３２である永久磁石３２ａの下面に吸着されぶら下がった状態で回転しつつ下流側へ移動する。下流端部位に至ると永久磁石３２ａがなくなり、吸着力が失われ自重で下に落下して上部の樋部材３７ａに受け入れられる。そして、上部の玉受盤３４ａに流入する。球受盤３４ａ内ではその底面が中心部に向かって低くなっている関係上回転しながら減衰し、やがて第１通孔３５ａまたは第２通孔３５ｂ内に落下する。
【００３９】
第１通孔３５ａ内に落下したパチンコ球Ｐ１は、一方の誘導樋部３８ａ内に流入し球出口３９を介して受渡部材４１の球受部４２に受けられる。この状態では図７（ロ）に示すようにパチンコ球Ｐ１と受渡部材４１の重心とによるモーメントが重錘４３による逆向きのモーメントに勝り、受渡部材４１が側壁３３ａから離れて下方へ回動し、下端位置でパチンコ球Ｐ１を第１ステージ２０ａ上面に払い出す。この際、受渡部材４１は表示部１２の前面を遮るようにして回動する。このように遊技者が一番注視している表示部の前面で遊技者によるパチンコ球Ｐ１によって受渡部材４１が前記表示部１２の前面を遮るように回動することとなり、これにより遊技者が遊技に参加している雰囲気が十分に味わえ、遊技の興趣が高められる。
【００４０】
前記第１ステージ２０ａの上面に払い出されたパチンコ球Ｐ１は、中央の落下口２３内に落下し球検出器２２で検出されつつ第２ステージ２０ｂの通路部２６内に入り、そのまま前側へ流下して球落口２７を通過し、さらに第３ステージ２０ｃの上面を流下してその前端縁から再び遊技盤３面に落下する。球落口２７の下方であって遊技盤３面に始動入賞口１４が配置されていることから、前記球落口２７を通過して流下するパチンコ球Ｐ１は始動入賞口１４に入賞する機会が多くなる。また、前記球検出器２２を特別な始動入賞口として、パチンコ球Ｐ１が検知されることにより、始動入賞口１４と同様に、表示部１２の数字、記号等の表示を変動させるようにすれば、始動入賞口１４にパチンコ球Ｐ１が入賞したときも表示部１２の数字、記号等の表示を変動させるので、結果的にダブルで表示部１２の表示を変動できることとなり、遊技者にとって多くの利益が与えられることになる。
【００４１】
前記受渡部材４１が側壁３３ａから離れるとき、その回動動作と共に戻り片４５も回動して戻り口４４が開放することとなる。よって、たとえ先のパチンコ球Ｐ１と連続するパチンコ球Ｐ２が球出口３９から排出されても戻り片４５に受け止められ再び第３球通路２９ｃ内に戻されて、下部の球受盤３４ｂに流入する。また、受渡部材４１が回動するとき、その動作が検出器４９により検出され、これにより前記表示部１２の画像の色、背景等の画像の一部が変化することとなる。このように、遊技者が打ち込んだパチンコ球Ｐ１によって表示部１２の画像が変わるので、これによっても遊技者が遊技に参加している雰囲気が十分に味わえ、遊技の興趣がより一層高められる。
【００４２】
前記上部の玉受盤３４ａの第２通孔３５ｂ内に落下したパチンコ球Ｐ３は、図８（イ）に示すように他方の誘導樋部３８ｂ内に流入し、その先端から下部の樋部材３７ｂに受け入れられ、今度は下部の球受盤３４ｂ内に流入する。下部の玉受盤３４ｂ内もその底面が中心部に向かって低くなっている関係上パチンコ球Ｐ３は回転しながら減衰し、やがて第３通孔３６ａまたは第４・第５通孔３６ｂ，３６ｃ内に落下する。
【００４３】
第３通孔３６ａ内に落下したパチンコ球Ｐ４は、第２ステージ２０ｂ上面を通路部２６側に向かって流下する。その内、運良く盛上り部２５を乗り越えて通路部２６に入ったパチンコ球Ｐ５は、図８（イ）に示すように前記パチンコ球Ｐ１と同様に通路部２６を前側へ流下して球落口２７を通過し、さらに第３ステージ２０ｃの上面を流下してその前端縁から再び遊技盤３面に落下する。このパチンコ球Ｐ５も始動入賞口１４に入賞する機会が多くなる。一方、運悪く盛上り部２５を乗り越えられないパチンコ球Ｐ６は、切欠凹部２８から第３ステージ２０ｃを流下し再び遊技盤３面に落下する。
【００４４】
また、下部の球受盤３４ｂの第４・第５通孔３６ｂ，３６ｃ内に落下したパチンコ球Ｐ７は、図８（ロ）に示すように送り出し樋４０内に流入して前方へ流下し、更に第３ステージ２０ｃ上面を通路部２６側へ流下して適宜位置から遊技盤３面に落下することになる。
【００４５】
図９及び図１０は他の実施の形態に係る弾球遊技機の可変表示装置を示すものである。この可変表示装置５０は、遊技盤３面に取付けられる取付基板５１を有し、取付基板５１に開口５２が開設され、その後側に画像を映し出す表示部５３が前記開口５２に臨む表示装置本体５４が取付けられている。前記表示部５３の前側下部には、取付基板５１との間にパチンコ球が転動するステージ５５が配置されている。ステージ５５の上面は、中央より一側に寄せた位置に向かって両側が下傾しており、その位置に上面を転動するパチンコ球Ｐが流入する落下溝５６が開設されている。この落下溝５６に流入したパチンコ球Ｐはそのまま通過して遊技盤３面に落下することになる。また、落下溝５６の出口直下方には前記と同様に遊技盤３面に始動入賞口１４が配置される。
【００４６】
前記表示部５３の外周である上部には球通路５７が成形される。該球通路５７は、上端３個所に球入口５８が開設されると共に中央部で合流して左右と中央の３個所に分かれるようになっている。そして、中央と両側の下端部に球出口５９，５９,５９が開設される。各球出口５９は前記ステージ５５の落下溝５６を挟んだ両側に対応位置し、各球出口５９から落下したパチンコ球Ｐは、ステージ５５上面に落下する。しかも、この際、落下するパチンコ球Ｐはいずれも表示部５３の前面を遮るように前記各球出口５９の位置が設定されている。また、各球出口５９にパチンコ球Ｐを検出する球検出器６０が設けられる。これは、球検出器６０によりパチンコ球Ｐを検出したとき、前記表示部５３の画像の色、背景等の画像の一部を変化させるためである。
【００４７】
そして、遊技部３ａに打ち込まれ前記いずれかの球入口５８から球通路５７内に流入したパチンコ球Ｐは、いずれかの球出口５９から落下する。この際、パチンコ球Ｐは表示部５３の前面を遮ることから、遊技者が遊技に参加している雰囲気が十分に味わえ、遊技の興趣が高められる。また、球出口５９からパチンコ球Ｐが落下するとき、球検出器６０により検出され、これにより前記表示部５３の画像の色、背景等の画像の一部が変化することとなり、この場合も遊技者が遊技に参加している雰囲気が味わえ、遊技の興趣がより一層高められるという効果がある。
【００４８】
前記落下したパチンコ球Ｐはステージ５５上面に達し、その上面を流下して落下溝５６に流入し、さらに該落下溝５６を通過して再び遊技盤３面に落下する。前記パチンコ球Ｐが落下する部位のステージ５５上面には、パチンコ球Ｐによる衝撃を緩和しステージ５５を傷めないために、ウレタン等の小片からなる緩衝部材６１を敷設すると良い。
【００４９】
通常、始動入賞口１４にパチンコ球が入賞すると、制御装置で抽選が行なわれ大当りかどうかの判定がなされ、それに基づいて表示部５３の画像が変動するようになっている。そこで、例えば球通路５７に流入したパチンコ球が球検出器６０で検出されつつ球出口５９から落下するとき、前記パチンコ球が検出されることにより画像を変動または停止させるようにすれば、恰も遊技者が打ち込んだパチンコ球が表示部５３の前面を遮ることによって大当りが決められたような錯覚が与えられることになり、遊技者としては高揚し遊技の興趣を一段と高められる。また、パチンコ球が表示部５３の中央近傍を通過した頃や、表示部５３を通過後ステージに達した頃に恰も画像が変動または停止したように、パチンコ球が球検出器６０で検出され、所定時間遅延させてから画像の変動または停止を制御することが望ましい。
【００５０】
更に、例えば図９に示されるように表示部５３に表示される３個の数字が、それぞれランダムに変動して停止し所定の組合わせ（例えば、「７７７」）になったとき、大当り状態になるような場合、３個の数字に対応させてその上部に球検出器６０を配置するようにし、前記球通路５７に流入したパチンコ球が球検出器６０で検出されつつ各球出口５９から落下するとき、前記パチンコ球が検出されることによりそのパチンコ球に対応する数字を変動させ一定時間経過後に停止させるようにしても良い。これにより、時を異ならせて停止する各数字が所定の組合わせになったとき、大当り状態となるようにしても、遊技の興趣が高められる。逆に、変動している図柄や数字を球検出器６０の検出によって停止させるようにしても良い。
【００５１】
なお、本発明では、第３球通路２９ｃ内に上・下部の球受盤３４ａ，３４ｂ、誘導樋部３８、上・下部の樋部材３７ａ,３７ｂをそれぞれ配置したが、これら組み合わせは適宜選択して用いるようにしても良い。また、受渡部材４１の可動の態様として回動する場合を示したが、これに限るものではなく上下左右に直線的に移動する場合も含まれるものであり、また、受渡部材４１は表示部１２の前面に掛かるように配置されていても良いこと勿論である。
【図面の簡単な説明】
【００５２】
【図１】本発明が適用されるパチンコ遊技機の正面図。
【図２】遊技盤面に装着された可変表示装置の正面図。
【図３】図２のＸ−Ｘ線断面図。
【図４】図２のＹ−Ｙ線断面図。
【図５】第３球通路部位の斜視図。
【図６】（イ）（ロ）作用を説明する他の実施の形態に係る球出口部位の斜視図。
【図７】（イ）（ロ）作用を説明する可変表示装置の正面図。
【図８】（イ）（ロ）作用を説明する可変表示装置の正面図。
【図９】遊技盤面に装着された他の可変表示装置の正面図。
【図１０】図９のＺ−Ｚ線断面図。
【符号の説明】
【００５３】
１２        表示部
２０ａ      第１ステージ
２０ｂ      第２ステージ
２０ｃ      第３ステージ
２９ａ      第１球通路
２９ｂ      第２球通路
２９ｃ      第３球通路
３９        球出口
４１        受渡部材
４４        戻し口
４５        戻り片
４７        球止部材
４９        検出器
５３        表示部
５５        ステージ
５７        球通路
５９        球出口
６０        球検出器
Ａ          パチンコ遊技機
Ｐ〜Ｐ７    パチンコ球
【図１】
2005124938.tif 000003
【図２】
2005124938.tif 000004
【図３】
2005124938.tif 000005
【図４】
2005124938.tif 000006
【図５】
2005124938.tif 000007
【図６】
2005124938.tif 000008
【図７】
2005124938.tif 000009
【図８】
2005124938.tif 000010
【図９】
2005124938.tif 000011
【図１０】
2005124938.tif 000012